(57)【要約】【課題】  ユーザーの利便性を損なわずに、アカウント情報を画像形成装置内に予め格納せずに、画像形成装置が、ユーザー認証を要求する外部サーバーとの通信を伴うサービスを実行することを可能にする。【解決手段】  モバイル端末装置１は、サービステーブルデータを画像形成装置２から受信して格納し、そのサービステーブルデータにおける各サービスに関連付けてアカウント情報を格納する。モバイル端末装置１は、ユーザーログイン時に画像形成装置２からサービスの識別コードを受信し、そのサービスのアカウント情報に関連付けて格納する。そして、画像形成装置２は、サービスを実行する際に、そのサービスの識別コードを送信し、モバイル端末装置１は、その識別コードに対応するアカウント情報を送信する。画像形成装置２は、そのアカウント情報に基づくユーザー認証を経てそのサービスを実行する。【選択図】  図１
2016091279.tif 000002
【特許請求の範囲】
【請求項１】
ユーザーのモバイル端末装置内のコンピューターに、
ネットワーク上の外部サーバーとの通信を伴いユーザー認証が要求されるサービスであって画像形成装置が実行可能なサービスを示すサービステーブルデータを前記画像形成装置から受信し前記モバイル端末装置内に格納するステップ、
前記モバイル端末装置内に格納した前記サービステーブルデータにおける前記サービスの利用に要求されるアカウント情報がユーザーにより入力されたときに前記アカウント情報を受け付けるステップ、
受け付けた前記アカウント情報を前記サービスに関連付けて前記モバイル端末装置内に格納するステップ、
前記ユーザーが前記画像形成装置にログインする度に発行される前記サービスの識別コードを受信し、受信した前記識別コードを、その識別コードの前記サービスに関連付けられているアカウント情報に関連付けて前記モバイル端末装置内に格納するステップ、および
前記画像形成装置が前記サービスを実行する際に送信した前記識別コードを受信し、受信した前記識別コードに関連付けられている前記アカウント情報を前記画像形成装置に送信するステップ
を実行させるアカウント管理プログラム。
【請求項２】
前記サービステーブルデータは、前記サービスに固有な前記サービス種別コードを含み、
前記アカウント情報の前記サービスは、前記サービス種別コードで特定され、
前記識別コードの前記サービスは、前記サービス種別コードで特定されること、
を特徴とする請求項１記載のアカウント管理プログラム。
【請求項３】
前記アカウント情報は、前記外部サーバーのユーザー認証に要求されるユーザー名とパスワードであって、
前記外部サーバーは、クラウドサーバー、ファクシミリサーバー、ファイルサーバー、およびメールサーバーの少なくとも１つを含むこと、
を特徴とする請求項１または請求項２記載のアカウント管理プログラム。
【請求項４】
ネットワーク上の外部サーバーとの通信を伴うサービスを示すサービステーブルデータを格納している記憶装置と、
前記サービステーブルデータをユーザーのモバイル端末装置に送信するサービステーブル送信部と、
前記ユーザーのログイン処理を行うログイン処理部と、
前記ユーザーが前記画像形成装置にログインする度に、前記サービスの識別コードを新たに生成し、生成した前記識別コードを前記モバイル端末装置に送信する識別コード送信部と、
（ａ）前記サービスを実行する際に、そのサービスについて生成した前記識別コードを前記モバイル端末装置に送信し、（ｂ）前記識別コードに対応するサービスについて前記モバイル端末装置においてユーザーにより入力され格納されているアカウント情報を、前記モバイル端末装置から受信し、（ｃ）受信した前記アカウント情報で前記外部サーバーのユーザー認証を経て前記サービスを実行するサービス処理部と、
を備えることを特徴とする画像形成装置。
【請求項５】
請求項１から請求項３のうちのいずれか１項記載のアカウント管理プログラムを実行するモバイル端末装置と、
請求項４記載の画像形成装置と、
を備える画像形成システム。
【発明の詳細な説明】
【技術分野】
【０００１】
本発明は、アカウント管理プログラム、画像形成装置、および画像形成システムに関するものである。
【背景技術】
【０００２】
あるシステムでは、クライアント端末装置が、ドキュメント処理装置にジョブを送信し、ドキュメント処理装置は、そのクライアント端末装置の認証に成功した場合、そのジョブを実行している（例えば特許文献１参照）。
【０００３】
他方、画像形成装置は、上述のように画像形成装置内で実行されるジョブのための認証とは別に、外部サーバーと通信を伴うサービス（画像データファイルのファイル転送、メール送信など）を行う際に、その外部サーバーにアクセスし、ユーザー認証に成功した後に、サービスを実行している。そのような画像形成装置は、その外部サーバーにおけるユーザー認証のために必要なアカウント情報（ユーザー名とパスワードなど）をユーザーデータなどとして予め内部の不揮発性記憶装置に格納しており、実行すべきサービスに対応するアカウント情報を読み出して外部サーバーにアクセスする。
【先行技術文献】
【特許文献】
【０００４】
【特許文献１】特開２００６−１７３９４９号公報
【発明の概要】
【発明が解決しようとする課題】
【０００５】
しかしながら、上述のように、外部サーバーへのアクセスに使用するアカウント情報を画像形成装置内に格納する場合、画像形成装置からアカウント情報が不正に読み出される可能性があり、セキュリティの観点から好ましくない。また、オフィスなどにおいて、複数のユーザーが複数の画像形成装置を使用する場合、すべてのユーザーについて、そのようなアカウント情報を、すべての画像形成装置に予め設定しておく必要があり、不便である。また、そのようなアカウント情報を画像形成装置内に格納しない場合、一般的には、その都度、ユーザーがそのようなアカウント情報を入力する必要があり、不便である。
【０００６】
本発明は、上記の問題に鑑みてなされたものであり、ユーザーの利便性を損なわずに、アカウント情報を画像形成装置内に予め格納しておくことなく、画像形成装置が、ユーザー認証を要求する外部サーバーとの通信を伴うサービスを実行することを可能にするアカウント管理プログラム、画像形成装置、および画像形成システムを得ることを目的とする。
【課題を解決するための手段】
【０００７】
本発明に係るアカウント管理プログラムは、ユーザーのモバイル端末装置内のコンピューターに、ネットワーク上の外部サーバーとの通信を伴いユーザー認証が要求されるサービスであって画像形成装置が実行可能なサービスを示すサービステーブルデータを前記画像形成装置から受信し前記モバイル端末装置内に格納するステップ、前記モバイル端末装置内に格納した前記サービステーブルデータにおける前記サービスの利用に要求されるアカウント情報がユーザーにより入力されたときに前記アカウント情報を受け付けるステップ、受け付けた前記アカウント情報を前記サービスに関連付けて前記モバイル端末装置内に格納するステップ、前記ユーザーが前記画像形成装置にログインする度に発行される前記サービスの識別コードを受信し、受信した前記識別コードを、その識別コードの前記サービスに関連付けられているアカウント情報に関連付けて前記モバイル端末装置内に格納するステップ、および前記画像形成装置が前記サービスを実行する際に送信した前記識別コードを受信し、受信した前記識別コードに関連付けられている前記アカウント情報を前記画像形成装置に送信するステップを実行させる。
【０００８】
本発明に係る画像形成装置は、ネットワーク上の外部サーバーとの通信を伴うサービスを示すサービステーブルデータを格納している記憶装置と、前記サービステーブルデータをユーザーのモバイル端末装置に送信するサービステーブル送信部と、前記ユーザーのログイン処理を行うログイン処理部と、前記ユーザーが前記画像形成装置にログインする度に、前記サービスの識別コードを新たに生成し、生成した前記識別コードを前記モバイル端末装置に送信する識別コード送信部と、（ａ）前記サービスを実行する際に、そのサービスについて生成した前記識別コードを前記モバイル端末装置に送信し、（ｂ）前記識別コードに対応するサービスについて前記モバイル端末装置においてユーザーにより入力され格納されているアカウント情報を、前記モバイル端末装置から受信し、（ｃ）受信した前記アカウント情報で前記外部サーバーのユーザー認証を経て前記サービスを実行するサービス処理部とを備える。
【０００９】
本発明に係る画像形成システムは、上記モバイル端末装置と、上記画像形成装置とを備える。
【発明の効果】
【００１０】
本発明によれば、ユーザーの利便性を損なわずに、アカウント情報を画像形成装置内に予め格納しておくことなく、画像形成装置が、ユーザー認証を要求する外部サーバーとの通信を伴うサービスを実行することを可能にする。また、画像形成装置に個人情報を入力しなくても、個人の端末で保持しているサービスのアカウント情報を利用してサービスを利用できる。
【図面の簡単な説明】
【００１１】
【図１】図１は、本発明の実施の形態に係る画像形成システムの構成を示すブロック図である。
【図２】図２は、図１におけるモバイル端末装置１および画像形成装置２の構成を示すブロック図である。
【図３】図３は、図２における画像形成装置２に予め格納されるサービステーブルデータ４１の一例を示す図である。
【図４】図４は、図１に示す画像形成システムにおける各装置の動作について説明するシーケンス図である。
【図５】図５は、図２におけるモバイル端末装置１においてサービステーブルデータに関連付けられて格納されるアカウント情報の一例を示す図である。
【図６】図６は、図２における画像形成装置２によってサービステーブルデータにおける各サービスに対して発行され、図２におけるモバイル端末装置１において保持される識別コードの一例を示す図である。
【発明を実施するための形態】
【００１２】
以下、図に基づいて本発明の実施の形態を説明する。
【００１３】
図１は、本発明の実施の形態に係る画像形成システムの構成を示すブロック図である。図１に示すシステムでは、ユーザーが、スマートフォンなどのモバイル端末装置１を携帯しており、さらに、複数の画像形成装置２（複合機、コピー機など）が設置されており、各画像形成装置２は、ネットワーク３に接続されている。モバイル端末装置１は、画像形成装置２の設置場所周辺に存在するとき、例えば近距離無線通信で、画像形成装置２との間でデータ通信を行うことができる。
【００１４】
さらに、認証サーバー４が、ネットワーク３に接続されている。認証サーバー４は、例えばディレクトリサービスを提供するサーバー（ＡｃｔｉｖｅＤｉｒｅｃｔｏｒｙのドメインコントローラーなど）であって、画像形成装置２のユーザーの認証処理などを行う。
【００１５】
なお、ネットワーク３は、構内ＬＡＮ（Local Area Network）、インターネットなどであり、ネットワーク３において、画像形成装置２は、認証サーバー４などの、ネットワーク３上のサーバーとの間でデータ通信を行うことができる。
【００１６】
図２は、図１におけるモバイル端末装置１および画像形成装置２の構成を示すブロック図である。
【００１７】
モバイル端末装置１は、例えばスマートフォンなどのポータブルデバイスであって、無線通信装置１１、記憶装置１２、演算処理装置１３、表示装置１４、入力装置１５などを有する。
【００１８】
無線通信装置１１は、ブルートゥース（登録商標）などの所定の近距離無線通信規格でデータ通信を行う内部装置である。
【００１９】
記憶装置１２は、フラッシュメモリー、ハードディスクなどの不揮発性の記憶装置である。記憶装置１２には、アカウント管理プログラム２１などが記憶されている。
【００２０】
演算処理装置１３は、ＣＰＵ（Central Processing Unit）、ＲＡＭ（Random Access Memory）、ＲＯＭ（Read Only Memory）などを有するコンピューターであり、アカウント管理プログラム２１をＲＡＭにロードしＣＰＵで実行することで、アカウント管理部２２として動作する。
【００２１】
アカウント管理部２２は、（ａ）後述のサービステーブルデータを画像形成装置２から受信しモバイル端末装置１内に格納し、（ｂ）モバイル端末装置１内に格納したサービステーブルデータにおけるサービスの利用に要求されるアカウント情報がユーザーにより入力されたときにそのアカウント情報を受け付け、受け付けたアカウント情報をそのサービスに関連付けてモバイル端末装置１内に格納する。アカウント情報は、入力装置１５に対するユーザー操作に基づいて特定されるユーザー名およびパスワードなどの、外部サーバーのユーザー認証に使用される情報である。
【００２２】
また、アカウント管理部２２は、モバイル端末装置１のユーザーが画像形成装置２にログインする度に発行されるサービスの識別コードを受信し、受信した識別コードを、その識別コードのサービスに関連付けられているアカウント情報に関連付けてモバイル端末装置１内に格納する。
【００２３】
さらに、アカウント管理部２２は、ユーザーのログイン期間（ログインからログアウトまでの期間）に画像形成装置２がサービスを実行する際にモバイル端末装置１へ送信したそのサービスの識別コードを受信し、受信した識別コードに関連付けられているアカウント情報をその応答として画像形成装置２に送信する。
【００２４】
なお、アカウント管理部２２は、無線通信装置１１を使用して画像形成装置２との上述のデータ通信を行う。
【００２５】
また、アカウント管理部２２は、画像形成装置２からの通知などに基づいてユーザーのログアウトを検出すると、ログイン時に受信した識別コードをモバイル端末装置１から消去するようにしてもよい。あるいは、アカウント管理部２２は、次回のログイン時に、次回のログイン時に受信する識別コードで、今回の識別コードを上書きするようにしてもよい。
【００２６】
また、表示装置１４は、ユーザーに各種情報や操作画面を表示する液晶ディスプレイなどである。入力装置１５は、ユーザー操作を受け付けるタッチパネルやハードキーなどである。
【００２７】
一方、図２において、画像形成装置２は、登録された複数のユーザーにより使用される複合機などであって、印刷装置３１、画像読取装置３２、操作パネル３３、無線通信装置３４、ネットワーク通信装置３５、記憶装置３６、およびコントローラー３７を有する。
【００２８】
印刷装置３１は、印刷画像データに基づいて１ページずつ画像を印刷用紙に電子写真方式で印刷する内部装置である。
【００２９】
画像読取装置３２は、原稿から原稿画像を読み取り、その画像データ（つまり、スキャンデータ）を生成する内部装置である。
【００３０】
操作パネル３３は、画像形成装置２の筐体表面に配置され、ユーザーに対して各種情報を表示する表示装置と、ユーザー操作を受け付ける入力装置とを有する。表示装置としては例えば液晶ディスプレイが使用される。入力装置としては、キースイッチ、タッチパネルなどが使用される。
【００３１】
無線通信装置３４は、ブルートゥース（登録商標）などの所定の近距離無線通信規格でデータ通信を行う内部装置である。ネットワーク通信装置３５は、ネットワーク３に接続され、ネットワーク３に接続された他の装置とデータ通信を行う回路である。
【００３２】
また、記憶装置３６は、フラッシュメモリー、ハードディスクなどの不揮発性の記憶装置である。記憶装置３６には、サービステーブルデータ４１などが記憶されている。
【００３３】
サービステーブルデータ４１は、ネットワーク上の外部サーバー（ファイルサーバー、メールサーバー、クラウドサーバー、ファクシミリサーバーなど）との通信を伴うサービスであって画像形成装置２が実行可能なサービスを示す。そのようなサービスとしては、画像読取装置３２でスキャンした画像の画像データファイルについて、（ａ）ファイルをＳＭＢ（Server Message Block）、ＦＴＰ（File Transfer Protocol）などで外部サーバーへ送信するファイル転送、（ｂ）ファイルを電子メールサーバーへPOP before SMTPなどのプロトコルで送信するメール送信、（ｃ）クラウドストレージサービスへのファイル保存、（ｄ）クラウドストレージサービスからのファイルのダウンロードおよびダウンロードしたファイルに基づく画像の印刷、（ｅ）ファクシミリサーバーでの、ファイルに基づく画像のファクシミリ送信などがある。なお、そのようなサービスは、サービスごとに独立したユーザー認証後に実行可能となり、一般的に、各サービスに登録されているユーザー情報（ユーザー名およびパスワード）は、画像形成装置２のログインに使用されるユーザー情報と異なる。
【００３４】
図３は、図２における画像形成装置２に予め格納されるサービステーブルデータ４１の一例を示す図である。
【００３５】
図３に示すサービステーブルデータ４１の場合、システム内のすべての画像形成装置２において共通な順序で、サービステーブルデータ４１にサービスが記述されている。図３に示す例では、１番目のレコードがファイル転送のレコードであり、２番目のレコードがメール送信のレコードであり、３番目のレコードがファクシミリサーバーによるファクシミリ送信のレコードであり、４番目のレコードが所定のクラウドストレージサービスによるファイル保存のレコードである。この場合、モバイル端末装置１は、受信したサービステーブルデータ４１に基づいて、そのサービスの順序を特定する。
【００３６】
なお、システム内のすべての画像形成装置２において共通なサービスの順序を使用しない場合、例えば、サービステーブルデータ４１は、サービスに固有なサービス種別コードを含むようにして、サービス種別コードでサービスを指定するようにしてもよい。その場合、上述のアカウント情報のサービスおよび上述の識別コードのサービスは、サービス種別コードで特定される。この場合、モバイル端末装置１は、受信したサービステーブルデータ４１に基づいて、サービス種別コードとサービスとの対応関係を特定する。
【００３７】
また、コントローラー３７は、コンピューター、ＡＳＩＣ（Application Specific Integrated Circuit）などを有し、画像形成装置１内の内部装置を制御する。コントローラー３７は、コンピューターでプログラムを実行することで、ログイン処理部５１、サービステーブル送信部５２、識別コード送信部５３、およびサービス処理部５４を実現する。
【００３８】
ログイン処理部５１は、ユーザーのログイン処理を行う。具体的には、ログイン処理部５１は、操作パネル３３に対するユーザー操作（ユーザーＩＤおよびパスワードの入力、図示せぬカードリーダーへのＩＤカードの提示など）を検出すると、そのユーザー操作で得られたユーザーＩＤなどに基づいて、認証サーバー４を使用してユーザー認証を行い、ユーザー認証に成功した場合、画像形成装置２へのログインを許可し、ユーザー認証に失敗した場合、画像形成装置２へのログインを拒否する。
【００３９】
サービステーブル送信部５２は、サービステーブルデータ４１を記憶装置３６から読み出してユーザーのモバイル端末装置１に送信する。
【００４０】
なお、サービステーブル送信部５２は、例えば無線通信装置３４がモバイル端末装置１を検出したときに自動的にサービステーブルデータ４１を送信するようにしてもよい。その場合、サービステーブル送信部５２は、モバイル端末装置１が既にサービステーブルデータ４１を格納しているか否かをモバイル端末装置１に問合せ、モバイル端末装置１が既にサービステーブルデータ４１を格納している場合には、サービステーブルデータ４１を送信しないようにしてもよい。
【００４１】
また、サービステーブル送信部５２は、ユーザーがログインした後に、ユーザーの所定操作を検出したときに、サービステーブルデータ４１を送信するようにしてもよい。その場合、サービステーブル送信部５２は、サービステーブルデータ４１の送信を行ったユーザーを記録しておき、過去にサービステーブルデータ４１の送信を行ったユーザーについては、サービステーブルデータ４１の送信を行わないようにしてもよい。
【００４２】
識別コード送信部５３は、ユーザーが画像形成装置にログインする度に、サービスの識別コードを新たに生成し、生成した識別コードをモバイル端末装置１に送信する。識別コード送信部５３は、ログインしたユーザーが携帯しているモバイル端末装置１に、無線通信装置３４を使用して、近距離無線通信で識別コードを送信する。
【００４３】
サービス処理部５４は、（ａ）サービステーブルデータ４１に記述されたサービスを実行する際に、無線通信装置３４を使用して、そのサービスについて生成した識別コードをモバイル端末装置１に送信し、（ｂ）無線通信装置３４を使用して、その識別コードに対応するアカウント情報（つまり、その識別コードに対応するサービスについてモバイル端末装置１においてユーザーにより入力され格納されているアカウント情報）を、モバイル端末装置１から受信し、（ｃ）ネットワーク通信装置３５を使用して、受信したアカウント情報で外部サーバー（つまり、そのサービスのサーバー）によるユーザー認証を経てサービスを実行する。
【００４４】
例えば、ファイル転送の場合、サービス処理部５４は、画像データファイルを、ＵＲＩ（Universal Resource Identifier）、ＩＰ（Internet Protocol）アドレスなどで予め設定されているユーザー端末装置内のＳＭＢサーバーへ送信する。
【００４５】
次に、図１に示す画像形成システムにおける各装置の動作について説明する。図４は、図１に示す画像形成システムにおける各装置の動作について説明するシーケンス図である。
【００４６】
まず、画像形成装置２のサービステーブル送信部５２は、上述のような所定の条件に基づいて、サービステーブルデータ４１を記憶装置３６から読み出して、無線通信装置３４を使用して、モバイル端末装置１に送信する（ステップＳ１）。
【００４７】
モバイル端末装置１のアカウント管理部２２は、無線通信装置１１を使用して、そのサービステーブルデータを受信して、記憶装置１２に記憶する。
【００４８】
また、アカウント管理部２２は、受信したサービステーブルデータに記述されているサービスに対するアカウント情報の入力画面を表示装置１４に表示する。
【００４９】
ユーザーは、入力装置１５を操作して、その入力画面において、各サービスに対するアカウント情報を入力する。
【００５０】
アカウント管理部２２は、各サービスについて、ユーザーにより入力されたアカウント情報を特定し（ステップＳ２）、そのサービスに関連付けてそのアカウント情報を記憶装置１２に格納する（ステップＳ３）。
【００５１】
図５は、図２におけるモバイル端末装置１においてサービステーブルデータに関連付けられて格納されるアカウント情報の一例を示す図である。例えば図５に示すように、アカウント管理部２２は、記憶装置１２に格納されているサービステーブルデータに、各サービスに関連付けてそのアカウント情報を追加する。
【００５２】
このようにして、モバイル端末装置１において、ユーザーにより入力された各サービスのアカウント情報が格納される。
【００５３】
その後、そのユーザーは、画像形成装置２を利用する際に、操作パネル３３を使用してログインのための操作を行う。
【００５４】
画像形成装置２では、ログイン処理部５１は、そのユーザー操作を検出すると、ログイン処理（ユーザー認証に基づくログインの許可）を行う（ステップＳ１１）。
【００５５】
ログイン処理部５１によりログインが許可されると、識別コード送信部５３は、サービステーブルデータ４１に記述されているサービスのすべてについて、各サービスの識別コードを新たに生成する（ステップＳ１２）。このとき、識別コード送信部５３は、乱数などに基づいて識別コードを生成する。あるサービスの識別コードは、他のサービスの識別コードとは異なるように生成される。識別コード送信部５３は、生成した各サービスの識別コードをこのユーザーに関連付けてログアウトまで保持し、ログアウト時に破棄する。そして、識別コード送信部５３は、無線通信装置３４を使用して、生成した識別コードをモバイル端末装置１へ送信する（ステップＳ１３）。
【００５６】
モバイル端末装置１では、アカウント管理部２２が、無線通信装置１１を使用して、その識別コードを受信し、各サービスについて、受信した識別コードを、アカウント情報に関連付けて記憶装置１２に格納する（ステップＳ１４）。
【００５７】
このとき、上述したように、システム内のすべての画像形成装置２において共通な順序で、サービステーブルデータ４１にサービスが記述されている場合、識別コード送信部５３は、サービステーブルデータ４１にサービスが記述されている順序で、それらのサービスの識別コードを配列して送信する。このとき、サービス名などの、サービスを特定する情報は識別コードとともに送信されない。そして、アカウント管理部２２は、受信した識別コードを、その順序で、アカウント情報に関連付けて記憶装置１２に格納する。
【００５８】
また、上述したように、システム内のすべての画像形成装置２において共通なサービスの順序を使用せず、サービスに固有なサービス種別コードを使用する場合、識別コード送信部５３は、各サービスについて、サービス種別コードと識別コードとの組合せを送信する。このとき、サービス名などの、サービスを直接的に示す情報はサービス種別コードおよび識別コードとともに送信されない。そして、アカウント管理部２２は、各組合せについて、受信した識別コードを、受信したサービス種別コードにより指定されるサービスのアカウント情報に関連付けて記憶装置１２に格納する。
【００５９】
図６は、図２における画像形成装置２によってサービステーブルデータにおける各サービスに対して発行され、図２におけるモバイル端末装置１において保持される識別コードの一例を示す図である。例えば図６に示すように、アカウント管理部２２は、記憶装置１２に格納されているサービステーブルデータに、各サービスのアカウント情報に関連付けてその識別コードを追加する。
【００６０】
このようにして、ログイン時に、ログイン期間においてのみ有効な識別コードが画像形成装置２で生成され、モバイル端末装置１に登録される。
【００６１】
その後、ユーザーは、ログインした画像形成装置２の操作パネル３３を操作して、サービステーブルデータ４１に記述されているサービス（スキャン・トゥ・センド、スキャン・トゥ・メールなど）の実行を指示する。
【００６２】
画像形成装置２のサービス処理部５４は、その指示を受け付けると（ステップＳ２１）、指示を受け付けたサービスの識別コードを特定し、無線通信装置３４を使用して、特定した識別コードをモバイル端末装置１へ送信する（ステップＳ２２）。
【００６３】
モバイル端末装置１では、アカウント管理部２２は、無線通信装置１１を使用して、その識別コードを受信すると、受信した識別コードに関連付けられているアカウント情報を記憶装置１２から読み出し、無線通信装置１１を使用して、そのアカウント情報を画像形成装置２へ送信する（ステップＳ２３）。
【００６４】
画像形成装置２では、サービス処理部５４は、無線通信装置３４を使用して、その送信されたアカウント情報を受信し、そのサービスのサーバーにアクセスし、受信したアカウント情報に基づくユーザー認証を経て、指示されたサービスを実行する（ステップＳ２４）。
【００６５】
なお、サービス処理部５４は、モバイル端末装置１からのアカウント情報の取得に失敗した場合、そのアカウント情報の入力画面を操作パネル３３に表示し、操作パネル３３に対してユーザーにより入力されたアカウント情報を使用して、サービスを実行する。
【００６６】
以上のように、上記実施の形態によれば、モバイル端末装置１は、サービステーブルデータを画像形成装置２から受信しモバイル端末装置１内に格納し、そのサービスの利用に要求されるアカウント情報がユーザーにより入力されたときにそのアカウント情報を受け付け、そのサービスに関連付けてモバイル端末装置１内に格納する。その後、モバイル端末装置１は、ユーザーが画像形成装置２にログインする度に発行されるサービスの識別コードを受信し、受信した識別コードを、その識別コードのサービスに関連付けられているアカウント情報に関連付けてモバイル端末装置１内に格納する。そして、モバイル端末装置１は、画像形成装置２がサービスを実行する際に送信した識別コードを受信し、受信した識別コードに関連付けられているアカウント情報を画像形成装置２に送信する。画像形成装置２は、アカウント情報を受信し、受信したアカウント情報を使用してユーザー認証を経て、外部サーバーとの通信を伴うサービスを実行する。
【００６７】
これにより、ユーザーは、ユーザー認証を要求する外部サーバーとの通信を伴うサービスのアカウント情報を、ユーザーの携帯するモバイル端末装置１に格納しておき、モバイル端末装置１を携帯しつつ画像形成装置２を使用することで、アカウント情報を画像形成装置２内に予め格納しておく必要もなく、画像形成装置２を利用しているときに画像形成装置２にアカウント情報を入力する必要もなくなる。
【００６８】
さらに、ログインごとに異なる識別コードをアカウント情報の送信要求として画像形成装置２からモバイル端末装置１へ送信しているため、アカウント情報を盗聴しても、どのサービスについてのアカウント情報を特定しにくく、セキュリティレベルが高い。
【００６９】
なお、上述の実施の形態は、本発明の好適な例であるが、本発明は、これらに限定されるものではなく、本発明の要旨を逸脱しない範囲において、種々の変形、変更が可能である。
【００７０】
例えば、上記実施の形態では、画像形成装置２は、認証サーバー４を使用してユーザー認証を行って、ログインの可否を決定しているが、画像形成装置２内にユーザーの登録データ（ユーザーＩＤおよびパスワードなど）を格納しておき、認証サーバー４を使用せずに、その登録データに基づいて画像形成装置２内でユーザー認証（つまり、ローカルユーザー認証）を行って、ログインの可否を決定してもよい。
【産業上の利用可能性】
【００７１】
本発明は、例えば、画像形成装置を使用するユーザーのモバイル端末装置などに適用可能である。
【符号の説明】
【００７２】
１  モバイル端末装置
２  画像形成装置
１３  演算処理装置（コンピューターの一例）
３６  記憶装置
４１  サービステーブルデータ
５１  ログイン処理部
５２  サービステーブル送信部
５３  識別コード送信部
５４  サービス処理部
【図１】
2016091279.tif 000003
【図２】
2016091279.tif 000004
【図３】
2016091279.tif 000005
【図４】
2016091279.tif 000006
【図５】
2016091279.tif 000007
【図６】
2016091279.tif 000008